(57)【要約】【課題】  接着作業時にプロテクタ部材或いは対物レンズのディスク側への接着剤の付着を低減させる。【解決手段】  対物レンズと、対物レンズ保持部材とを備えた光ピックアップにおいて、前記対物レンズ保持部材に配設された、前記対物レンズを固定するための接着剤が注入される複数の切欠き部を有し、前記切欠き部は前記対物レンズ保持部材の前記光ディスクに対向する側と反対側に設けられている。【選択図】  図１
2006294190.tif 000002
【特許請求の範囲】
【請求項１】
情報信号記録再生層を備えた光ディスクに対してレーザ光を集光照射するための対物レンズと、
前記対物レンズを保持するための対物レンズ保持部材とを備えた光ピックアップにおいて、
前記対物レンズ保持部材に配設された、前記対物レンズを固定するための接着剤が注入される複数の切欠き部を有し、前記切欠き部は前記対物レンズ保持部材の前記光ディスクに対向する側と反対側に設けられていることを特徴とする光ピックアップ。
【請求項２】
前記光ディスクと前記対物レンズとの接触を避けるために前記対物レンズ保持部材の前記光ディスクに対向する面には、緩衝部材が形成されていることを特徴とする請求項１記載の光ピックアップ。
【請求項３】
前記緩衝部材は前記対物レンズ保持部材と同一材料で一体的に形成されていることを特徴とする請求項２に記載の光ピックアップ。
【請求項４】
前記緩衝部材は均一な厚さで粘着材層を有するシート部材であり、前記対物レンズ保持部材に貼り付けられていることを特徴とする請求項２に記載の光ピックアップ。
【請求項５】
前記緩衝部材は前記対物レンズ保持部材にインサート成形されていることを特徴とする請求項２に記載の光ピックアップ。
【請求項６】
請求項１乃至５に記載の光ピックアップを用いて光ディスクの情報信号記録層にレーザ光を集光し、情報信号の記録または記録された情報信号の再生を行う光ディスク装置。
【発明の詳細な説明】
【技術分野】
【０００１】
本発明は、光ディスクに対し、レーザ光を集光する対物レンズを備えた光ピックアップ、および光ピックアップを用いて光ディスクに設けられた情報信号記録層に対してレーザ光を集光し、情報信号の記録または再生を行う光ディスク装置に関する。
【背景技術】
【０００２】
従来より、光ディスクの情報信号記録層に対し、対物レンズを備えた光ピックアップによってレーザ光を微小な光スポットに集光することにより情報信号を記録し、あるいはその反射光から記録された情報信号を再生する光ディスク装置が実用化されている。そして近年、このような光ディスク装置において、対物レンズの設計、製造技術の向上によって、そのＮＡを０．８以上に高めることも可能になった。このような高いＮＡの対物レンズを使用すれば、より微小な光スポットを形成することができ、その結果記録再生の分解能が向上するので、光ディスクの容量を増大することができる。
【０００３】
これまでの一般的な光ディスクは、透明な樹脂材料から成る厚さ０．６ｍｍ〜１．２ｍｍの基板上に情報信号記録層を備えており、また光ディスク装置はこの基板を通して情報信号記録層にレーザ光を照射していた。しかし対物レンズのＮＡを高くする程、焦点距離即ち対物レンズと情報信号記録層間の距離は小さくなり、厚さ０．６ｍｍ〜１．２ｍｍの基板を通してレーザ光を照射し、情報信号記録層に集光するのは困難となる。そこで対物レンズのＮＡを高くすると同時に、情報信号記録層の上に基板よりも薄い透明なカバー層を形成した光ディスクを用い、カバー層を通して情報信号記録層にレーザ光を照射することが提案されている。
【０００４】
図８にはこのような光ディスク装置の概略構成を示す。ここで１は光ディスク、２は光ピックアップ、３は光ディスク１を回転駆動するスピンドルモータである。光ピックアップ２はレーザ光源６、コリメータレンズ７、ビームスプリッタ８、集光レンズ９、受光素子１０、対物レンズ２０、および対物レンズ２０をフォーカス制御およびトラッキング制御するアクチュエータ１１より構成される。
【０００５】
光ディスク１は基板１２、基板１２上に形成した可逆的に相状態が変化し得る相変化材料から成る情報信号記録層１３、および透明な樹脂材料から成る厚さ０．１ｍｍ程度のカバー層１４より構成される。情報信号記録層１３には、らせん状または同心円状の記録トラックが形成されている。なお情報信号記録層１３は、光磁気記録材料、またはピット（凹凸）を形成した金属反射膜から成るのであってもよい。また光ピックアップ２は光ディスク１のカバー層１４に対向する側に配置される。
【０００６】
図７にアクチュエータ１１の構成を示す。アクチュエータ１１は、固定部１５と可動部１６から成り、固定部１５は永久磁石１７ａ，１７ｂ、ヨーク１８、および支持基台１９で構成され、可動部１６は対物レンズ２０、フォーカスコイル２１、トラッキングコイル２２、およびこれらを保持するレンズ保持部材２３で構成される。弾性支持部材２４ａ，２４ｂ，２４ｃ，２４ｄは線状で弾性および高導電性を有し、一端は支持基台１９に固定され、他端には可動部１６を光ディスク１に対して垂直な方向およびラジアル方向への変位が自在であるように保持している。また弾性支持部材２４ａ，２４ｂ，２４ｃ，２４ｄはレンズ保持部材２３上でフォーカスコイル２１、およびトラッキングコイル２２に電気的に接続されている。
【０００７】
図６にレンズ保持部材２３における対物レンズ保持構造を示す。（ａ）は上面（光ディスク１に対向する面）から見た図、（ｂ）は側断面図である。レンズ保持部材２３には対物レンズ２０を配設するための貫通した孔３０が形成され、孔３０の内壁面には段差状の当接面３１が、孔３０の下部には光束の径を制限するアパーチャ３２が形成されている。さらにレンズ保持部材２３の上面、孔３０の周囲には、接着用切欠き部３３ａ，３３ｂ，３３ｃが形成されている。一方対物レンズ２０にはコバ３４（光学的な有効部分の周囲に設けられた縁）が形成されている。対物レンズ２０は孔３０内に嵌合配設され、コバ３４の下面を当接面３１に当接させて位置決めされている。さらに上面側に開口した接着用切欠き部３３ａ，３３ｂ，３３ｃ内に接着剤（ハッチングにて示す）を注入し、対物レンズ２０の側面に固着させることによって対物レンズ２０を固定する。
【０００８】
光ディスク装置はさらに図８に示すように、アクチュエータ１１をフォーカス制御、およびトラッキング制御するための、エラー信号生成回路４と制御回路５を備え、制御回路５は、弾性支持部材２４ａ，２４ｂ，２４ｃ，２４ｄを通してフォーカスコイル２１とトラッキングコイル２２に制御電流を供給する。
【０００９】
情報信号の記録を行なう場合、まずスピンドルモータ３により光ディスク１を回転駆動する。この状態で、レーザ光源６が発生する情報信号によってパルス状に変調されたレーザ光を、コリメータレンズ７によって平行光とし、ビームスプリッタ８を通し、対物レンズ２０によって収束し、光ディスク１のカバー層１４を通して情報信号記録層１３上に微小な光スポットに集光するように照射する。
【００１０】
光ディスク１の情報信号記録層１３は、パルス変調されたレーザ光の照射によって、繰り返し加熱、冷却が行われ、そのプロセスの違いによってアモルファス相、または結晶相に相状態が変化した記録マークが情報信号として形成される。
【００１１】
また情報信号の再生を行なう場合にも、同様にスピンドルモータ３により光ディスク１を回転駆動し、この状態でレーザ光源６が発生する一定強度のレーザ光を光ディスク１のカバー層１４を通して情報信号記録層１３上に微小な光スポットに集光するように照射する。この時の情報信号記録層１３からの反射光の強度は、記録マークにより変化するので、これより情報信号を再生する。
【００１２】
このような情報信号の記録および再生動作中は、光ディスク１で反射された光ビームはビームスプリッタ８で反射し、集光レンズ９によって集光され、受光素子１０により検出される。受光素子１０は複数に分割された受光面を備え、各受光面の検出信号から、エラー信号生成回路４によってフォーカスエラー信号とトラッキングエラー信号が生成される。
【００１３】
さらに制御回路５はこのフォーカスエラー信号とトラッキングエラー信号に基づく制御電流を、弾性支持部材２４ａ，２４ｂ，２４ｃ，２４ｄを通してフォーカスコイル２１とトラッキングコイル２２に供給する。アクチュエータ１１はこの制御電流と、永久磁石１７ａ，１７ｂが発生する磁束との間で発生する電磁的な力によって、可動部１６を光ディスク１に対して垂直に接離する方向と記録トラックに直交するラジアル方向とに駆動するのである。
【００１４】
このようにして光スポットは、光ディスク１が面振れにより垂直方向に変位しても、これに追従して記録トラック上に正確に集光するようにフォーカス制御され、また記録トラックが偏芯によりラジアル方向に変位してもこれに追従しながら走査するようにトラッキング制御される。
【００１５】
前述の通り、近年対物レンズ２０のＮＡの増加に伴って、対物レンズ２０とカバー層１４の表面の間隔（作動距離）は短縮する傾向にあるのに加え、光ディスク装置の小型化に対する要求に伴って、対物レンズ２０も小型化が望まれており、その作動距離を０．１〜０．３ｍｍとすることが検討されている。
【００１６】
アクチュエータが正常に制御動作していれば、対物レンズ２０とカバー層１４の表面の間には、この一定の間隔が保たれているが、不意の衝撃や振動、あるいは光ディスク１上の汚れや傷の影響で正常なエラー信号が得られない等の理由で、アクチュエータ１１が制御不能となる場合がある。このような異常動作時には、可動部１６が過剰に変位し光ディスク１と接触することが避けられない。
【００１７】
また特にポータブル機器に使用される光ディスク装置においては、非動作時であっても外部から加わる振動や衝撃等によって可動部が振動して光ディスクと接触する頻度が増加する。このような時、仮に対物レンズ２０と光ディスク１とが直接接触したとすると、いずれかが損傷し、正常な情報信号の記録、再生ができなくなる場合がある。
【００１８】
そこでこのような課題に対して、特開平１０−２２１５８３号公報には対物レンズを保護するための緩衝材としてプロテクタ部材を対物レンズの周囲に設ける方法が提案されている。図９は前記公報に記載された光ピックアップのプロテクタ部材の構成であり、３５は対物レンズ２０のコバ３４上に設けたプロテクタ部材である。プロテクタ部材３５の光ディスク１に対向する上面は、低硬度で耐摺動性の材料からなり、また少なくとも対物レンズ２０の頂点よりも高く、作動距離の範囲内にある。従って正常動作中にプロテクタ部材３５が光ディスク１と接触することはないが、異常動作時にはプロテクタ部材３５が光ディスク１と接触する場合があり、この時に対物レンズ２０は直接光ディスク１に接触することなく保護されるのである。
【００１９】
しかし、上記公報には、図示された接着を含んだ対物レンズ保持機構の組み立て方法については開示されておらず、特開平０５−１１８９７８５号公報の光ピックアップのように、レンズ保持部材に形成した接着用切欠き部内に接着剤を注入し、露出させた対物レンズのコバの側面に固着させ、またプロテクタ部材も同様に接着剤を使用して固定するものとすると、対物レンズやプロテクタ部材をレンズ保持部材に取り付けるために使用する接着剤は、わずかに多く付けすぎただけでも、はみ出すことがあり、誤って対物レンズやプロテクタ部材のディスク側に付着する場合がある。
【特許文献１】特開平０５−１１８９７８５号公報
【特許文献２】特開平１０−２２１５８３号公報
【発明の開示】
【発明が解決しようとする課題】
【００２０】
付着した接着剤は、一般的にプロテクタ部材のように低硬度で耐摺動性の材料で構成されているわけではないため、対物レンズやプロテクタ部材に付着した接着剤とディスクとの衝突によってディスク上に損傷が生じる場合がある。
【００２１】
そこで、本発明の目的は、接着作業時にプロテクタ部材或いは対物レンズのディスク側への接着剤の付着を低減させることを目的とする。
【課題を解決するための手段】
【００２２】
本発明は、以下の発明によって上記課題を解決するものである。
【００２３】
情報信号記録再生層を備えた光ディスクに対してレーザ光を集光照射するための対物レンズと、
前記対物レンズを保持するための対物レンズ保持部材とを備えた光ピックアップにおいて、
前記対物レンズ保持部材に配設された、前記対物レンズを固定するための接着剤が注入される複数の切欠き部を有し、前記切欠き部は前記対物レンズ保持部材の前記光ディスクに対向する側と反対側に設けられている光ピックアップ。
【発明の効果】
【００２４】
以上説明したように、本発明によって、接着作業時にプロテクタ部材或いは対物レンズのディスク側への接着剤の付着を低減させることができる。
【発明を実施するための最良の形態】
【００２５】
以下本発明による光ピックアップおよび光ディスク装置について説明する。なお光ディスク装置全体の概略の構成および動作は図８に示した従来の装置と同様であるので詳細な説明は省略し、特に光ピックアップについて説明する。図５に本発明である光ピックアップのアクチュエータ１１の構成の一例を示す。アクチュエータ１１は、固定部１５と可動部１６から成り、固定部１５は永久磁石１７ａ，１７ｂ、ヨーク１８、および支持基台１９で構成され、可動部は対物レンズ２０、フォーカスコイル２１、トラッキングコイル２２、およびこれらを保持するレンズ保持部材２５で構成される。
【００２６】
弾性支持部材２４ａ，２４ｂ，２４ｃ，２４ｄは線状で弾性および高導電性を有し、一端は支持基台１９に固定され、他端には可動部１６を光ディスク１に対して垂直な方向およびラジアル方向への変位が自在であるように保持している。また弾性支持部材２４ａ，２４ｂ，２４ｃ，２４ｄはレンズ保持部材２５上でフォーカスコイル２１、およびトラッキングコイル２２に電気的に接続されている。
【００２７】
さらに図８に示したように光ディスク装置は、アクチュエータ１１をフォーカス制御、およびトラッキング制御するための、エラー信号生成回路４と制御回路５を備え、制御回路５は、弾性支持部材２４ａ，２４ｂ，２４ｃ，２４ｄを通してフォーカスコイル２１とトラッキングコイル２２に制御電流を供給する。
【００２８】
後の実施例において説明するように、対物レンズ２０はレンズ保持部材２５に形成した接着用切欠き部（図５においては不図示）に注入した接着剤によって固定されるが、この接着用切欠き部は光ディスク１と対向しない下面側にのみ開口を有している。また図５に示すようにレンズ保持部材２５には、対物レンズ２０よりもわずかに光ディスク１の側に突出する対物レンズ２０の保護手段が設けられている。この保護手段はレンズ保持部材２５の突出した一部分であるプロテクタ部４４ａ、または別の部材であってレンズ保持部材２５に取り付けたプロテクタ部材４４ｂのどちらでもよい。この保護手段は、以下（１）〜（４）のいずれかであり、接着作業を伴わない方法で設けられている。
（１）保護手段（プロテクタ部４４ａ）は前記レンズ保持部材２５と同一材料で一体的に形成されている。
（２）保護手段（プロテクタ部材４４ｂ）は均一な厚さで予め粘着材層を形成したシート部材である。
（３）保護手段（プロテクタ部材４４ｂ）はレンズ保持部材にインサートして成形されることにより一体化されている。
（４）保護手段（プロテクタ部材４４ｂ）はレンズ保持部材に係合して取り付けられている。
【００２９】
またプロテクタ部材４４ｂは、接着用切欠き部の光ディスク１と対向する上面側の開口を閉塞する閉塞手段としても使用することもできる。
【００３０】
ここで対物レンズ２０と光ディスク１のカバー層１４の表面の間隔（作動距離）は０．１〜０．３ｍｍと非常に短いが、アクチュエータが正常に制御動作していれば、対物レンズ２０とカバー層１４の表面の間にはこの一定の間隔が保たれている。しかし不意の衝撃や振動、あるいは光ディスク１上の汚れや傷の影響で正常なエラー信号が得られない等の理由で、アクチュエータ１１が制御不能となる場合がある。また特にポータブル機器に使用される光ディスク装置においては、非動作時であっても外部から加わる振動や衝撃等によって可動部が振動して光ディスクと接触する頻度が増加する。
【００３１】
このような異常動作時や非動作時の振動、衝撃によって、可動部１６が光ディスク１の方向に過剰に変位した場合には、対物レンズ２０よりも突出したプロテクタ部４４ａまたはプロテクタ部材４４ｂが光ディスク１のカバー層１４に接触することによって、対物レンズ２０を保護するとともに、カバー層１４の摺動痕の発生を防止する。ここでプロテクタ部４４ａまたはプロテクタ部材４４ｂの上面を軟質、かつ摺動性に優れた材料で、一方カバー層１４を高硬度の材料で構成し、さらにこのような異常動作を検知した直後には、可動部１６を一旦光ディスクから離間する方向に退避させ、その後に制御動作の再開を試みるようにすれば、保護部２５と光ディスク１との接触は瞬時的なものにとどまるので、光ピックアップ２や、光ディスク１の信頼性に深刻な影響を与えることはない。
【実施例】
【００３２】
以下、本発明における対物レンズ保持構造の詳細について、実施例とともに説明する。
【００３３】
（第１の実施形態）
図１に第１の実施形態における対物レンズ保持構造を示す。（ａ）は側断面図、（ｂ）は下面（光ディスクに対向しない面）から見た図である。レンズ保持部材２５には対物レンズ２０を配設するための貫通した孔４０が形成されている。孔４０内には対物レンズ２０とともに、レンズ保持部材２５とは別体である光束の径を制限するための環状のアパーチャ部材４２が嵌合配設される。
【００３４】
さらに本実施形態においては、対物レンズ２０の保護手段としてのプロテクタ部４４ａが、孔４０の上方および内側に突出するようにレンズ保持部材２５に一体的に形成され、同時にプロテクタ部４４ａの孔４０の内側への突出部分の下面は対物レンズ２０に対する当接面４１となっている。プロテクタ部４４ａの上面には軟質、かつ摺動性に優れた材料からなる皮膜が形成されている。ここで対物レンズ２０の作動距離は０．２５ｍｍ、頂点はコバ３４の上面から０．０５ｍｍ高いものとすると、プロテクタ部４４ａの突出部はそれよりもやや厚く、例えば０．０８〜０．１ｍｍとすればよい。この時プロテクタ部４４ａの上面と、光ディスク１のカバー層１４との間には、０．２〜０．２２ｍｍのクリアランスが確保できる。
【００３５】
またレンズ保持部材２５の下面、孔４０の周囲には、接着用切欠き部４３ａ，４３ｂ，４３ｃが凹部状に形成されている。接着用切欠き部４３ａ，４３ｂ，４３ｃは、光ディスク１と対向しない下面側にのみ開口を有しており、光ディスク１と対向する上面側には開口を有していない。
【００３６】
光ピックアップ組み立ての際には、まず孔４０内に対物レンズ２０およびアパーチャ部材４２を嵌合配設する。次にアパーチャ部材４２でコバ３４を下面より押圧し、コバ３４の上面を当接面４１に当接させて位置決めした状態で、接着用切欠き部４３ａ，４３ｂ，４３ｃ内に接着剤（ハッチングにて示す）を注入し、対物レンズ２０の側面に固着させることによって、対物レンズ２０をアパーチャ部材４２とともに固定する。
【００３７】
（第２の実施形態）
図２に第２の実施形態における対物レンズ保持構造を示す。（ａ）は側断面図、（ｂ）は下面（光ディスクに対向しない面）から見た図である。レンズ保持部材２５には対物レンズ２０を配設するための貫通した孔４０が形成されている。孔４０内には対物レンズ２０とともに、レンズ保持部材２５とは別体である光束の径を制限するための環状のアパーチャ部材４２が嵌合配設される。
【００３８】
さらに本実施形態においては、対物レンズ２０の保護手段としての環状のプロテクタ部材４４ｂが、レンズ保持部材２５および対物レンズ２０の上面に貼り付けられている。図４にプロテクタ部材４４ｂの断面構造を示す。プロテクタ部材４５は金属材料や樹脂材料の薄板から成る基材４５の上面に軟質、かつ摺動性に優れた材料からなる皮膜４６を形成し、下面には粘着材層４７を形成した均一な厚さのシートである。
【００３９】
ここで対物レンズ２０の作動距離は０．２５ｍｍ、頂点はコバ３４の上面から０．０５ｍｍ高いものとすると、プロテクタ部材４４ｂはそれよりもやや厚く、例えば０．０８〜０．１ｍｍとすればよい。この時プロテクタ部材４４ｂの上面と、光ディスク１のカバー層１４との間には、０．２〜０．２２ｍｍのクリアランスが確保できる。
【００４０】
プロテクタ部材４４ｂの基材４５は圧延、または延伸により製造される均一な厚さの薄板であるから、金型等を使用する成形品に比較して厚さの精度が高くでき、プロテクタ部材４４ｂ全体の厚さのばらつきを±０．００５ｍｍ以下とすることも可能である。基材４５を金属材料とすれば、樹脂材料に比較して剛性が高いので、より薄くすることもができる。また導電性を利用した電着、めっき、静電塗装等の方法で表面に皮膜４６を形成することが可能であり、さらに樹脂材料よりも耐熱性が高いので、より高温で皮膜４６の焼き付け処理を行うことによって、基材４５との密着性を増すことが可能である。
【００４１】
プロテクタ部材４４ｂには、予め粘着材層４７が設けられているので、それ以外には接着剤を必要とせずにレンズ保持部材２５および対物レンズ２０に貼り付けることができる。またプロテクタ部材４４ｂは、対物レンズ２０と孔４０の内壁間の間隙や、貫通孔として形成される接着用切欠き部４３ａ，４３ｂ，４３ｃの上面側の開口をすべて塞ぐように、コバ３４の上面およびレンズ保持部材２５の上面にまたがって貼り付けるものとする。
【００４２】
レンズ保持部材２５の孔４０の周囲には、接着用切欠き部４３ａ，４３ｂ，４３ｃが形成されている。接着用切欠き部４３ａ，４３ｂ，４３ｃは、最初は上面側、および下面側の両方に開口を有するように形成されているが、上記のようにプロテクタ部材４４ｂを貼り付けることによって、光ディスク１と対向する上面側の開口が閉塞される。
【００４３】
光ピックアップ組み立ての際には、まず対物レンズ２０およびアパーチャ部材４２を孔４０内に嵌合配設し、プロテクタ部材４４ｂをレンズ保持部材２５に貼り付ける。次にアパーチャ部材４２でコバ３４を下面より押圧し、コバ３４の上面とプロテクタ部材４４ｂとを貼り合わせる。さらに接着用切欠き部４３ａ，４３ｂ，４３ｃ内に接着剤（ハッチングにて示す）を注入し、対物レンズ２０の側面に固着させることによって、対物レンズ２０をアパーチャ部材４２とともに固定する。
【００４４】
（第３の実施形態）
図３に第３の実施形態における対物レンズ保持構造を示す。（ａ）は側断面図、（ｂ）は下面（光ディスクに対向しない面）から見た図である。レンズ保持部材２５には対物レンズ２０を配設するための貫通した孔４０が形成されている。孔４０内には対物レンズ２０とともに、レンズ保持部材２５とは別体である光束の径を制限するための環状のアパーチャ部材４２が嵌合配設される。
【００４５】
第２の実施形態と同様に、本実施形態においても、対物レンズ２０の保護手段としての環状のプロテクタ部材４４ｂが、レンズ保持部材２５の上面に設けられている。プロテクタ部材４４ｂは金属材料の薄板から成り、一部に下方への折り曲げ部が形成されている。また上面には軟質、かつ摺動性に優れた材料からなる皮膜が形成され、下面は対物レンズ２０に対する当接面４１となっている。
【００４６】
ここで対物レンズ２０の作動距離は０．２５ｍｍ、頂点はコバ３４の上面から０．０５ｍｍ高いものとすると、プロテクタ部材４４ｂはそれよりもやや厚く、例えば０．０８〜０．１ｍｍとすればよい。この時プロテクタ部材４４ｂの上面と、光ディスク１のカバー層１４との間には、０．２〜０．２２ｍｍのクリアランスが確保できる。
【００４７】
プロテクタ部材４４ｂは圧延により製造される均一な厚さの金属材料の薄板で構成されているから、金型等を使用する樹脂材料等の成形品に比較して、厚さの精度が高くでき、皮膜も含めたプロテクタ部材４４ｂ全体の厚さのばらつきを±０．００５ｍｍ以下とすることも可能である。また樹脂材料に比較して剛性が高いので、より薄くすることもできる。さらに導電性を利用した電着、めっき、静電塗装等の方法で表面に皮膜形成が可能であり、さらに樹脂材料よりも耐熱性が高いので、より高温で皮膜の焼き付け処理を行うことによって、密着性を増すことが可能である。
【００４８】
プロテクタ部材４４ｂは折り曲げ部をレンズ保持部材２５の成形時にインサートして一体化されており、接着剤を用いることなくレンズ保持部材２５に取り付けられている。またはプロテクタ部材４４ｂとレンズ保持部材２５のそれぞれに係合部を形成し、脱落しないように係合させるなどの方法でプロテクタ部材４４ｂを取り付けてもよい。またプロテクタ部材４４ｂは、対物レンズ２０と孔４０の内壁間の間隙や、貫通孔として形成される接着用切欠き部４３ａ，４３ｂ，４３ｃの上面側の開口をすべて塞ぐように、コバ３４の上面およびレンズ保持部材２５の上面にまたがって取り付けるものとする。
【００４９】
レンズ保持部材２５の孔４０の周囲には、接着用切欠き部４３ａ，４３ｂ，４３ｃが形成されている。接着用切欠き部４３ａ，４３ｂ，４３ｃは、最初は上面側、および下面側の両方に開口を有するように形成されているが、上記のようにプロテクタ部材４４ｂを取り付けることによって、光ディスク１と対向する上面側の開口は閉塞される。
【００５０】
光ピックアップ組み立ての際には、まず孔４０内に対物レンズ２０およびアパーチャ部材４２を嵌合配設する。次にアパーチャ部材４２でコバ３４を下面より押圧し、コバ３４の上面を当接面４１に当接させて位置決めした状態で、接着用切欠き部４３ａ，４３ｂ，４３ｃ内に接着剤（ハッチングにて示す）を注入し、対物レンズ２０の側面に固着させることによって、対物レンズ２０をアパーチャ部材４２とともに固定する。
【００５１】
以上説明したように、いずれの実施形態においても、対物レンズ２０に対して、厚さのばらつきが小さく、薄い保護手段（プロテクタ部４４ａまたはプロテクタ部材４４ｂ）が設けられ、光ディスク１のカバー層１４との間には十分なクリアランスが確保され、両者の接触の頻度を最小限に抑えることができる。しかもその組み立て時には接着作業を必用としないため製造が容易である。
【００５２】
また対物レンズ２０を接着固定するための接着用切欠き部４３ａ，４３ｂ，４３ｃは、光ディスク１と対向しない下面側に開口を有しており、光ディスク１と対向する上面側には開口を有していない（プロテクタ部材４４ｂによって閉塞されている）ので、対物レンズ２０の取り付けにおいては、接着剤の注入作業を下面側から行うことにより、プロテクタ部４４ａまたはプロテクタ部材４４ｂ、および対物レンズ２０の上に接着剤が付着することを低減することができる。
【図面の簡単な説明】
【００５３】
【図１】本発明による光ピックアップの第１の実施形態における対物レンズ保持構造を示す図
【図２】本発明による光ピックアップの第２の実施形態における対物レンズ保持構造を示す図
【図３】本発明による光ピックアップの第３の実施形態における対物レンズ保持構造を示す図
【図４】本発明による光ピックアップの第２の実施形態におけるプロテクタ部材の構成を示す図
【図５】本発明による光ピックアップのアクチュエータの構成を示す図
【図６】従来の光ピックアップにおける対物レンズ保持構造を示す図
【図７】従来の光ピックアップのアクチュエータの構成を示す図
【図８】光ディスク装置の概略構成を示す図
【図９】従来の光ピックアップにおけるプロテクタ部材の構成を示す図
【符号の説明】
【００５４】
１  光ディスク
１３  情報信号記録層
１４  カバー層
１５  固定部
１６  可動部
１７ａ，１７ｂ  永久磁石
１８  ヨーク
２０  対物レンズ
２１  フォーカスコイル
２２  トラッキングコイル
２５  レンズ保持部材
４０  孔
４１  当接面
４２  アパーチャ部材
４３ａ，４３ｂ，４３ｃ  接着用切欠き部
４４ａ  プロテクタ部
４４ｂ  プロテクタ部材
４５  基材
４６  皮膜
４７  粘着材層
【図１】
2006294190.tif 000003
【図２】
2006294190.tif 000004
【図３】
2006294190.tif 000005
【図４】
2006294190.tif 000006
【図５】
2006294190.tif 000007
【図６】
2006294190.tif 000008
【図７】
2006294190.tif 000009
【図８】
2006294190.tif 000010
【図９】
2006294190.tif 000011